(57)【要約】【課題】コンバインの前処理部に備える穀稈搬送装置と、この穀稈搬送装置から刈取り穀稈を引き継いで脱穀部に供給する脱穀フィードチェンとの受継部において、引き継がれる穀稈の稈量が増加しても、当該穀稈に対する押圧力が不要に増加することを抑制可能な稈こぼれ防止用ガイドを設ける。【解決手段】稈こぼれ防止用ガイド５１を鋼線で緩やかな円弧状に形成すると共に、この稈こぼれ防止用ガイド５１の円弧が上方に凸な状態で、当該ガイド５１の基端部５１ａを穀稈搬送装置３２の株元側挟持レール４６を支持する弾性板４５に取り付けた。【選択図】図４
2007185120.tif 000002
【特許請求の範囲】
【請求項１】
前処理部（１６）に備える穀稈搬送装置（３２）から刈取り穀稈を引き継いで脱穀部（１７）に供給する脱穀フィードチェン（３３）を備えたコンバインにおいて、前記穀稈搬送装置（３２）と脱穀フィードチェン（３３）との受継部（Ｓ）に、穀稈搬送装置（３２）に備える株元側挟持レール（４６）の非押圧方向への移動に追従する稈こぼれ防止用ガイド（５１）を設けたことを特徴とするコンバイン。
【請求項２】
株元側挟持レール（４６）を支持する弾性板（４５）に、稈こぼれ防止用ガイド（５１）の基端部（５１ａ）を取り付けた請求項１に記載のコンバイン。
【発明の詳細な説明】
【技術分野】
【０００１】
本発明は、コンバインの前処理部に備える穀稈搬送装置と、この穀稈搬送装置から刈取り穀稈を引き継いで脱穀部に供給する脱穀フィードチェンとの受継部に設ける稈こぼれ防止用ガイドに関する。
【背景技術】
【０００２】
従来、コンバインの刈取部（前処理部）では、植立穀稈引起こし装置、刈刃、刈取穀稈を脱穀装置のフィードチェンに搬送する株元挟持搬送装置及び穂先係止搬送装置を装備すると共に、株元挾持搬送装置及び穂先係止搬送装置と脱穀装置（脱穀部）の入口との間に穀稈を受けるシートを張設し、更に株元挾持搬送装置及び穂先係止搬送装置と脱穀フィードチェンとの受継部に、穀稈を弱い弾性力で押し付ける板バネ製の押さえ部材を後向き片持ち状に設けて、脱穀フィードチェンへの穀稈供給に際しての短稈の抜け落ちを前記シートと押さえ部材による弱挾持作用で阻止するように構成したものが知られている（例えば、特許文献１）。
【特許文献１】特開平８−４７号公報（第４頁、図１、図４）
【発明の開示】
【発明が解決しようとする課題】
【０００３】
しかし、上述した従来の板バネ製の押さえ部材は、株元挟持搬送装置及び穂先係止搬送装置と脱穀フィードチェンとの受継部で引き継がれる穀稈の稈量が増加すると、それに比例して穀稈に対する押圧力が大きくなることから、脱穀装置に供給される穀稈の姿勢が乱れて穂切れ等の脱穀不良を起こす虞があった。
【課題を解決するための手段】
【０００４】
本発明は、上記課題を解決することを目的としたものであって、前処理部に備える穀稈搬送装置から刈取り穀稈を引き継いで脱穀部に供給する脱穀フィードチェンを備えたコンバインにおいて、前記穀稈搬送装置と脱穀フィードチェンとの受継部に、穀稈搬送装置に備える株元側挟持レールの非押圧方向への移動に追従する稈こぼれ防止用ガイドを設けたことを第１の特徴としている。
【０００５】
そして、株元側挟持レールを支持する弾性板に、稈こぼれ防止用ガイドの基端部を取り付けたことを第２の特徴としている。
【発明の効果】
【０００６】
請求項１の発明によれば、穀稈搬送装置と脱穀フィードチェンとの受継部に、穀稈搬送装置に備える株元側挟持レールの非押圧方向への移動に追従する稈こぼれ防止用ガイドを設けたことによって、前記受継部で引き継がれる穀稈の稈量が増加した時は、当該穀稈に対する株元側挟持レールの非押圧方向への移動に伴って稈こぼれ防止用ガイドも追従して略同方向に移動するので、穀稈に対する稈こぼれ防止用ガイドの押圧力が不要に増加することを抑制可能であり、受継部で引き継がれる穀稈の稈量が増加しても、脱穀部に供給される穀稈の姿勢が乱れて穂切れ等の脱穀不良が起きるといった従来の不具合を解消できるようになる。
【０００７】
そして、請求項２の発明によれば、株元側挟持レールを支持する弾性板に、稈こぼれ防止用ガイドの基端部を取り付けたことによって、前記受継部で引き継がれる穀稈の稈量が増加した時は、先ず株元側挟持レールを支持する弾性板が株元側挟持レールの非押圧方向に変形し、それに伴って稈こぼれ防止用ガイドが弾性板に追従して略同方向に移動するので、当該受継部で引き継がれる穀稈の稈量が増加しても、稈こぼれ防止用ガイドの押圧力が不要に増加することを抑制できる。また、稈こぼれ防止用ガイドを簡素に構成することができる。
【発明を実施するための最良の形態】
【０００８】
以下、本発明の実施形態を図面に基づいて説明する。図１は、本発明に係る作業用走行車両の一例であるコンバイン１１の側面図であって、コンバイン１１は、左右一対のクローラ走行装置１２によって支持される走行機体１３を有し、この走行機体１３の前部右側にエンジン１４を搭載すると共に、該エンジン１４の上方に運転席１５を設けている。
【０００９】
そして、走行機体１３の前方左側には、穀稈を刈取って搬送する前処理部１６を昇降可能に支持すると共に、この前処理部１６の後方には、刈取った穀稈を脱穀し、且つ脱穀した穀粒を選別する脱穀部１７と、脱穀済みの排稈を排出処理する後処理部１８を設けている。更に詳しくは、前処理部１６のフレームを兼ねる縦伝動軸ケース１９の上端を機体フレーム１３の前部に設けた横伝動軸ケース（支点）２１に軸支すると共に、縦伝動軸ケース１９の下面と機体フレーム１３の間にアクチュエータである油圧シリンダ２２を介装し、該油圧シリンダ２２を伸縮作動させることによって横伝動軸ケース２１を回動中心とする前処理部１６の昇降を可能にしている。
【００１０】
一方、運転席１５の後方には、選別済みの穀粒を一時的に貯留する穀粒タンク２３が設けてあり、この穀粒タンク２３内に貯留された穀粒は、当該穀粒タンク２３の後面下端部に固設した固定パイプ（不図示）と、この固定パイプに回動可能に接続された縦パイプ２４と、該縦パイプ２４の上端に一体回動可能で、且つ、上下方向に起伏可能（上下昇降可能）に接続した穀粒排出オーガ２５とを経由して機外に排出できるようになっている。
【００１１】
また、前処理部１６には、刈り取り穀稈を分草する複数の分草体２６を分草体支持フレーム２７に一体的に取り付けると共に、分草体２６の後方には、この分草体２６により分草された後の穀稈を引き起す引起装置２８と、該引起装置２８により引き起こされた穀稈の株元を切断する刈刃を備えた刈取装置２９と、該刈取装置２９によって刈り取られる穀稈を掻き込んで搬送する掻込搬送装置３１と、該掻込搬送装置３１の後方で刈取穀稈の稈長を検出して自動的に適正な扱ぎ深さに調節する扱深搬送装置３２等の穀稈搬送装置が設けてあり、扱深搬送装置３２の終端部まで搬送された穀稈は、脱穀フィードチェン３３を介して脱穀部１７に供給されるようになっている。
【００１２】
そして、扱深搬送装置３２は、上述した前処理部１６の昇降支点である横伝動軸ケース２１を同軸の上下揺動支点として扱ぎ深さ調節が行なえるように構成している。更に詳しくは、扱深搬送装置３２は、掻込搬送装置３１から穀稈の株元側を受け継ぐ株元側搬送チェン３４と、穀稈の穂先側を受け継ぐ樹脂製の起伏可能な搬送爪３５を複数取り付けた穂先側搬送チェン３６とを上下平行に備え、横伝動軸ケース２１の一端から入力ケース３７内の伝動機構を介して入力される動力によって両搬送チェン３４，３６は駆動するようになっている。
【００１３】
また、入力ケース３７には、図２及び図３に示すように、略逆Ｕ字状に形成した曲げパイプ３８の一端が固設してあり、この略逆Ｕ字状の曲げパイプ３８の自由端（他端）側の中途部に扱ぎ深さ株元センサ４１と扱ぎ深さ穂先センサ４２を設置している。そして、曲げパイプ３８の自由端には、Ｌ字状に曲げ形成した弾性板４５を固設すると共に、該弾性板４５の下部に株元側搬送チェン３４に対向する株元側挟持レール４６を支持（螺設）している。即ち、掻込搬送装置３１から扱深搬送装置３２に受け継がれる穀稈の株元側は、株元側搬送チェン３４と株元側挟持レール４６に挟持されながら搬送される。
【００１４】
更に、扱深搬送装置３２と脱穀部１７の入口プレート４７との間に、穀稈を受けるシート４８Ｌ，４８Ｒを張設すると共に、穀稈搬送装置３２と脱穀フィードチェン３３との受継部Ｓには、該受継部Ｓで引き継がれる穀稈の稈量によって押圧力が変動することを抑制できる稈こぼれ防止用ガイド５１を設けている。更に詳しくは、稈こぼれ防止用ガイド５１は、鋼線を緩やかな円弧状に形成したものであって、この稈こぼれ防止用ガイド５１の円弧が上方に凸な状態で、当該稈こぼれ防止用ガイド５１の基端部５１ａを上述した弾性板４５に取り付け（螺設）できるように構成している。
【００１５】
そして、稈こぼれ防止用ガイド５１は、平面視で機体外方側から内方側方向へ片持ち状に斜設すると共に、その先端部５１ｂを脱穀フィードチェン３３の挟持始端部、即ち脱穀フィードチェン３３と始端側挟持ガイドＧによる挟持開始位置の近傍まで延出してあり、扱深搬送装置３２から脱穀フィードチェン３３へ穀稈を受け継ぐ際に、当該稈こぼれ防止用ガイド５１と、株元側搬送チェン３４の上部カバーＣ及びシート４８Ｌによる弱挾持作用によって稈こぼれを阻止できるようにしてある。
【００１６】
尚、円弧状に形成した稈こぼれ防止用ガイド５１を上方に凸な状態で取り付けることによって、受継部Ｓで引き継ぐ穀稈を株元側搬送チェン３４の上部カバーＣのＲ形状に沿わせ、且つ当該ガイド５１で抱え込みながら安定した姿勢で確実に受継させることができるようになっている。また、稈こぼれ防止用ガイド５１の先端部５１ｂは、下方に凸の小Ｒに曲げ形成してあり、それによって稈こぼれ防止用ガイド５１の先端部５１ｂにおける穀稈の引っ掛かりを防いでいる。
【００１７】
上述した構成の稈こぼれ防止用ガイド５１によれば、穀稈搬送装置である扱深搬送装置３２と、脱穀フィードチェン３３との受継部Ｓで引き継がれる穀稈の稈量が増加した時は、当該穀稈に対する株元側挟持レール４６の非押圧方向への移動に伴って稈こぼれ防止用ガイド５１も追従して略同方向に移動するので、穀稈に対する稈こぼれ防止用ガイド５１の押圧力が不要に増加することを抑制可能であり、受継部Ｓで引き継がれる穀稈の稈量が増加しても、脱穀部１７に供給される穀稈の姿勢が乱れて穂切れ等の脱穀不良が起きるといった従来の不具合を解消できるようになる。
【００１８】
即ち、稈こぼれ防止用ガイド５１を鋼線で形成すると共に、当該ガイド５１の基端部５１ａを株元側搬送チェン３４に対向する株元側挟持レール４６を支持する弾性板４５に取り付けたことによって、前記受継部Ｓで引き継がれる穀稈の稈量が増加した時は、図４に二点鎖線で示すように、稈こぼれ防止用ガイド５１の基端部５１ａを取り付けた弾性板４５が先ずＡ矢印方向に変形し、それに伴って稈こぼれ防止用ガイド５１が弾性板４５に追従して略同方向に移動するので、当該受継部Ｓで引き継がれる穀稈の稈量が増加しても、稈こぼれ防止用ガイド５１の押圧力が不要に増加することを抑制できる。また、稈こぼれ防止用ガイド５１を簡素に構成することができる。
【図面の簡単な説明】
【００１９】
【図１】コンバインの側面図。
【図２】穀稈搬送装置と脱穀フィードチェンとの受継部近傍を示す側面図。
【図３】穀稈搬送装置と脱穀フィードチェンとの受継部近傍を示す平面図。
【図４】稈こぼれ防止用ガイドの作用形態を示す要部正面図。
【符号の説明】
【００２０】
１６    前処理部
１７    脱穀部
３２    穀稈搬送装置
３３    脱穀フィードチェン
４５    弾性板
４６    株元側挟持レール
５１    稈こぼれ防止用ガイド
５１ａ  稈こぼれ防止用ガイドの基端部
Ｓ      受継部
【図１】
2007185120.tif 000003
【図２】
2007185120.tif 000004
【図３】
2007185120.tif 000005
【図４】
2007185120.tif 000006